(57)【要約】【課題】開口部を開閉自在に閉塞する紐を有する収納用袋であって、袋本体に描かれた動物や人形等の表情や外形が変化する面白みのある収納用袋の提供。【解決手段】袋本体２の開口縁部の両側に、動物または人形に似せた耳部３を突設し、その耳部３を除く袋本体２に紐１を設ける。そして紐１を絞って開口を閉塞したとき、耳部３が立ち上がるように構成する。【選択図】　　　　図２
2004043027.tif 000002
【特許請求の範囲】
【請求項１】
開口縁部に、その開口を開閉自在に締結する紐が取付けられた収納用袋において、
その袋本体（２）　の前記開口縁部の両側に、動物または人形に似せた耳部（３）　が突設され、
前記紐が、その耳部（３）　を除く袋本体（２）　に取付けられて、その紐を絞って開口を閉塞したとき、前記耳部（３）　が立ち上がるように構成されたことを特徴とする収納用袋。
【請求項２】
請求項１において、
袋本体（２）　および前記耳部（３）　に、動物または人形が描かれた収納用袋。
【請求項３】
請求項１または請求項２において、
前記袋本体（２）　の開口縁に、環状の紐収納部（４）　が偏平管状に形成されると共に、その一部に紐挿通孔が形成された収納用袋。
【請求項４】
請求項３において、
前記紐収納部（４）　の両側部に一対の紐挿通孔（５ａ）（５ｂ）が設けられ、
第一の紐（１ａ）が一方の紐挿通孔（５ａ）から他方の紐挿通孔（５ｂ）に環状に懸回されて、その端部が前記一方の紐挿通孔（５ａ）から突出し、
第二の紐（１ｂ）が他方の紐挿通孔（５ｂ）から一方の紐挿通孔（５ａ）に環状に懸回されて、その端部が前記他方の紐挿通孔（５ｂ）から突出された収納用袋。
【請求項５】
請求項３において、
前記紐収納部（４）　の両側縁に達しない位置で、夫々対向する位置に一対づつの紐挿通孔（５ａ）（５ａ），紐挿通孔（５ｂ）（５ｂ）が設けられ、
第一の紐（１ａ）が一方の一対の紐挿通孔（５ａ）（５ａ）から他方の一対の紐挿通孔（５ｂ）（５ｂ）に環状に懸回されて、その端部が前記一方の紐挿通孔（５ａ）（５ａ）から突出し、第二の紐（１ｂ）が他方の一対の紐挿通孔（５ｂ）（５ｂ）から一方の一対の紐挿通孔（５ａ）（５ａ）に環状に懸回されて、その端部が前記他方の一対の紐挿通孔（５ｂ）（５ｂ）から突出された収納用袋。
【発明の詳細な説明】
【０００１】
【発明の属する技術分野】
本発明は、各種携帯品その他を収納することができる紐付きの収納用袋に関する。
【０００２】
【従来の技術】
紐付き収納用袋は、その開口縁に環状の紐収納部を偏平管状に形成し、その一部に紐挿通孔を形成し、そこから紐を挿通すると共に終端をそこから取り出したものである。そして紐を引っ張って紐収納部を縮めることにより、袋の開口を閉塞するものである。
なお、このような収納用袋であってその表面に動物等の絵が描かれたものも存在した。
【０００３】
【発明が解決しようとする課題】
このような収納用袋につき、本発明は面白みのあるものを提供することを課題とする。特に、袋の開口を閉じたときと開けたときに変化のあるものを提供することを目的とする。
【０００４】
【課題を解決するための手段】
請求項１に記載の本発明は、開口縁部に、その開口を開閉自在に締結する紐が取付けられた収納用袋において、
その袋本体（２）　の前記開口縁部の両側に、動物または人形に似せた耳部（３）　が突設され、
前記紐が、その耳部（３）　を除く袋本体（２）　に取付けられて、その紐を絞って開口を閉塞したとき、前記耳部（３）　が立ち上がるように構成されたことを特徴とする収納用袋である。
【０００５】
請求項２に記載の本発明は、請求項１において、
袋本体（２）　および前記耳部（３）　に、動物または人形が描かれた収納用袋である。
請求項３に記載の本発明は、請求項１または請求項２において、
前記袋本体（２）　の開口縁に、環状の紐収納部（４）　が偏平管状に形成されると共に、その一部に紐挿通孔が形成された収納用袋である。
【０００６】
請求項４に記載の本発明は、請求項３において、
前記紐収納部（４）　の両側部に一対の紐挿通孔（５ａ）（５ｂ）が設けられ、
第一の紐（１ａ）が一方の紐挿通孔（５ａ）から他方の紐挿通孔（５ｂ）に環状に懸回されて、その端部が前記一方の紐挿通孔（５ａ）から突出し、
第二の紐（１ｂ）が他方の紐挿通孔（５ｂ）から一方の紐挿通孔（５ａ）に環状に懸回されて、その端部が前記他方の紐挿通孔（５ｂ）から突出された収納用袋である。
【０００７】
請求項５に記載の本発明は、請求項３において、
前記紐収納部（４）　の両側縁に達しない位置で、夫々対向する位置に一対づつの紐挿通孔（５ａ）（５ａ），紐挿通孔（５ｂ）（５ｂ）が設けられ、
第一の紐（１ａ）が一方の一対の紐挿通孔（５ａ）（５ａ）から他方の一対の紐挿通孔（５ｂ）（５ｂ）に環状に懸回されて、その端部が前記一方の紐挿通孔（５ａ）（５ａ）から突出し、第二の紐（１ｂ）が他方の一対の紐挿通孔（５ｂ）（５ｂ）から一方の一対の紐挿通孔（５ａ）（５ａ）に環状に懸回されて、その端部が前記他方の一対の紐挿通孔（５ｂ）（５ｂ）から突出された収納用袋である。
【０００８】
【発明の実施の形態】
次に、図面に基づいて本発明の収納用袋の各実施の形態につき説明する。
図１は本発明の第１の実施の形態を示す収納用袋の正面図およびその紐収納部４の説明図であって、その開口を開放した状態を示し、図２はその開口を閉塞した状態を示す説明図である。
この収納用袋は、布材の縫製体或いは軟質合成樹脂フィルムその他からなり、下端および両側部が閉塞されると共に、上端部が開口されたものである。そして、この例では軟質合成樹脂フィルムの袋本体２が方形に形成され、その開口側両側に耳部３が袋本体２の平面方向に突設形成されている。
【０００９】
そしてその耳部３の外周および袋本体２の両側は、溶着部７によって閉塞されると共に、袋本体２の底部は折り返された状態で閉塞されている。そして、袋本体２の上端開口縁部には紐収納部４が形成されている。この紐収納部４は環状の偏平管状に形成され、耳部３の根元部で紐収納部４内に連通する紐挿通孔５ａ，紐挿通孔５ｂが欠切されている。この紐挿通孔５ａ，紐挿通孔５ｂは、図１（Ｂ）の如く袋本体２の両側に一対づつ開口され、そこにこの例では一対の紐１ａ，紐１ｂが環状に挿通されている。
【００１０】
即ち、第一の紐１ａは紐収納部４の左端の紐挿通孔５ａから右端の紐挿通孔５ｂを懸回して環状に挿通され、その両端が図１（Ａ）の如く左下端のハトメ６に挿通されて、両端どうしが結ばれている。これとは逆に第二の紐１ｂは、左端の紐挿通孔５ａで折り返され、その両端部が右端の紐挿通孔５ｂから突出し、それらが右下端のハトメ６に挿通され、両端が互いに連結されている。
また、袋本体２，耳部３には漫画的な動物の絵が描かれている。そしてその動物の耳が耳部３に描かれている。
【００１１】
このようにしてなる収納用袋は、一対の紐１ａ，紐１ｂを引き絞ることにより、図２（Ａ）の如くその上端開口を閉塞することができる。この閉塞に伴って、袋本体２のみの上端部が絞られるので、耳部３は図１（Ａ）の状態よりも上方に立ち上がる。即ち、一対の紐１ａ，紐１ｂを引き絞ったり緩めたりすることにより、耳部３が上下することになる。なお、図２（Ｂ）はその絞った状態を示す説明図である。
【００１２】
次に、図３は本発明の収納用袋の第２の実施の形態でありその開口を開放した状態を示し、図４は同閉塞した状態を示すものである。
この例は、図１のものと耳部３の形状が異なると共に、袋本体２および耳部３に描かれたキャラクターがうさぎである。そして一対の紐１ａ，紐１ｂを図４の如く絞ることにより、うさぎの耳部３が上方に立ち上がるものである。
【００１３】
次に、図５は図３の変形例であり、図３と異なる点は紐挿通孔５ａ，紐挿通孔５ｂが図３のそれよりも中央寄りに形成されたことである。
このように紐挿通孔５ａ，紐挿通孔５ｂが中央寄りに形成されると、それを絞ったとき、その中央部のみが絞られ、図６の如く耳部３の立ち上がり量が比較的少なくなるものである。
このように紐挿通孔５ａ，紐挿通孔５ｂの位置を変化させることにより、耳部３の立ち上がり量を調整することができる。
【００１４】
次に、図７は開口部を開放状態において耳部３が垂れ下がったものである。そこで、袋本体２，耳部３に耳の垂れ下がった動物のキャラクターを描くことができる。そして紐１ａ，紐１ｂを図８の如く絞ることにより、垂れ下がった耳部３をやや上方に持ち上げることができる。
【００１５】
次に、図９は一本の紐１ａのみを袋本体２の紐収納部４に収納したものである。即ち、紐収納部４の幅方向中央位置のみに紐挿通孔５を開口し、そこから紐１ａを環状に紐収納部４内に挿通したものである。そしてその両端部を紐挿通孔５から引き出し、その紐１ａを引っ張ることにより袋の開口を絞ることができる。なお、紐１ａ等の挿通方法は各種従来の収納用袋に用いられている公知技術を利用することができる。さらに袋本体２の形態も各種公知技術を利用することができる。
【００１６】
【発明の作用・効果】
本発明の収納用袋は、袋本体２の開口縁部の両側に動物または人形に似せた耳部３が突設され、紐１を絞って開口を閉塞したとき耳部３が立ち上がるように構成されたから、面白みのある興味深い収納用袋を提供できる。
【００１７】
上記構成において、袋本体２および耳部３に動物または人形を描くことができる。この場合には、さらに興味をそそられる収納用袋となり得る。
上記構成において、袋本体２の開口縁に環状の紐収納部４を偏平管状に形成することができる。そしてその一部に紐挿通孔５を形成することにより、構成が簡単で使い勝手の良い収納用袋とすることができる。
【００１８】
上記構成において、紐収納部４の両側部に一対の紐挿通孔５ａ，５ｂを設け、第一の紐１ａおよび第二の紐１ｂをそれらに環状に懸回して、両紐１ａ，紐１ｂの端部をそれらから突出させることができる。この場合、両紐１ａ，紐１ｂを引っ張ることにより、袋本体２の開口部を容易に閉塞することができる。
【００１９】
上記構成において、紐収納部４の両側縁に達しない位置で夫々対向する位置に一対づつの紐挿通孔５ａ，紐挿通孔５ｂを設けることができる。そしてその紐挿通孔５ａ，紐挿通孔５ｂの位置を適宜にすることにより、耳部３の立ち上がり角度を調整することができる。
【図面の簡単な説明】
【図１】本発明の第１の実施の形態を示す収納用袋であって、（Ａ）はその平面図、（Ｂ）はその開口部の説明図、（Ｃ）は（Ｂ）のＣ−Ｃ矢視断面略図。
【図２】（Ａ）は同収納用袋の開口部を閉じた状態を示す斜視図、（Ｂ）はその紐収納部４の閉塞状態を示す説明図。
【図３】本発明の第２の実施の形態を示す収納用袋の平面図。
【図４】同収納用袋の開口部を絞った状態を示す説明図。
【図５】本発明のさらに他の実施の形態を示す収納用袋の平面図およびその開口部の説明図。
【図６】同収納用袋の開口部を閉塞した状態を示す平面図。
【図７】本発明のさらに他の実施の形態を示す収納用袋の平面図。
【図８】同収納用袋の開口部を閉塞した状態を示す平面図。
【図９】本発明の収納用袋の紐１ａの挿通状態の他の例を示す説明図。
【符号の説明】
１ａ，１ｂ　紐
２　袋本体
３　耳部
４　紐収納部
５，５ａ，５ｂ　紐挿通孔
６　ハトメ
７　溶着部
【図１】
2004043027.tif 000003
【図２】
2004043027.tif 000004
【図３】
2004043027.tif 000005
【図４】
2004043027.tif 000006
【図５】
2004043027.tif 000007
【図６】
2004043027.tif 000008
【図７】
2004043027.tif 000009
【図８】
2004043027.tif 000010
【図９】
2004043027.tif 000011